(57)【要約】個体から尿及び糞便排出物を収集し且つ廃棄するための方法。本方法は、使い捨て尿マネージメントデバイスと使い捨て糞便マネージメントデバイスとの同時の及び独立した使用である。使い捨て尿マネージメントデバイスは、個体の尿生殖器領域に剥離可能な方法で独立して適用され、一方、使い捨て糞便マネージメントデバイスは個体の会陰領域に剥離可能な方法で独立して適用される。【選択図】図１
2004500132.tif 000002
【特許請求の範囲】
【請求項１】
個体から尿及び糞便排出物を収集し且つ廃棄するための方法であって、使い捨て尿マネージメントデバイス（１０）と使い捨て糞便マネージメントデバイス（５１０）とが個体の尿生殖器領域及び会陰領域に剥離可能な方法でそれぞれ独立して適用される方法。
【請求項２】
それぞれのデバイスは液体不透過性のバッグ（１１，５１１）を含み、それぞれのバッグは孔（１３，５１３）を有し、前記孔は着用者の前記尿生殖器領域及び会陰領域にそれぞれ薄利可能に取り付けるための接着面仕上げされたフランジ（１２，５１２）により取り囲まれた請求項１に記載の方法。
【請求項３】
それぞれのバッグは通気性である請求項２に記載の方法。
【請求項４】
それぞれのバッグは少なくとも１つの層を具備する請求項２及び請求項３のいずれか１項に記載の方法。
【請求項５】
それぞれのバッグは少なくとも内層と外層とを具備する請求項４に記載の方法。
【請求項６】
前記外層は不織布層を具備する請求項５に記載の方法。
【請求項７】
前記不織布層はローションを含浸させられた請求項６に記載の方法。
【請求項８】
前記使い捨て尿マネージメントデバイス（１０）は前記バッグ（１０）内に吸収性材料を愁傷する請求項２ないし請求項７のいずれか１項に記載の方法。
【請求項９】
前記吸収性材料は粉砕された木材パルプ；クレープされたセルロース詰綿；溶融吹込されたポリマー；化学的に剛化された、改質された、或いは架橋されたセルロースファイバ；薄葉紙；吸収性フォーム；吸収性スポンジ；超吸収性ポリマー；及び吸収性ゲル化材料空なる群より選ばれる請求項８に記載の方法。
【請求項１０】
前記使い捨て尿マネージメントデバイス（１０）は捕捉層（２７０）をさらに具備する請求項２ないし請求項９のいずれか１項に記載の方法。
【請求項１１】
前記フランジ（１２，５１２）の少なくとも一方は突出しカーブした隆起（１５０，５５０）を具備する請求項２ないし請求項１０のいずれか１項に記載の方法。
【請求項１２】
個体から尿及び糞便排出物を収集し且つ廃棄するためのキットであって、使い捨て尿マネージメントデバイス（１０）と使い捨て糞便マネージメントデバイス（５１０）とを収容したキット。
【発明の詳細な説明】
【０００１】
【発明の属する技術分野】
本発明は、使い捨て尿マネージメントデバイス及び使い捨て糞便マネージメントデバイスが独立して及び同時に使用される、乳児、幼児、或いは大人のような個体からヒト排泄物、すなわち、尿及び糞便を収集し且つ廃棄する方法に関する。
【０００２】
【従来の技術】
特には乳児及び幼児から典型的に家庭用として及び大人から家庭用及び施設用の双方としてヒト排泄物を収集し且つ廃棄するための使い捨てデバイスを使用することは、長年にわたって知られている。そのような公知の使い捨てデバイスは、大半が、おむつを着用者に固定する締結手段を装備した使い捨て吸収性おむつ、トレーニングパンツのような既製の使い捨て衣服、及び再利用可能な或いは使い捨てのパンツ及びパンティにより所定の位置に維持されるように設計された使い捨て吸収性パッドである。
【０００３】
これら公知の構成の全てにおいて、使い捨てデバイスは尿及び糞便の双方に対処するように設計されており、尿生殖器及び会陰領域にまたがって着用者の二股領域全体を覆う一体型のデバイスとして記述される。
【０００４】
おむつの内側に或いは外側のレセプタクルへの接続により糞便物質に対処するように特別に設計された特徴を有する使い捨ておむつは公知であるが、そのような例の全てにおいて、提案されたおむつは、尿及び糞便物質の双方を収集／廃棄する単一の道具として使用されることが運命づけられており、それゆえ、着用者の二股領域全体を覆うことが運命づけられている。
【０００５】
上述したタイプの公知の使い捨て吸収性デバイスの使用は、しかしながら、比較的大きな吸収性材料片の皮膚への密接な接触のせいで、及び着用者により排泄された尿及び／または糞便は密接にフィットした吸収性物品により着用者の皮膚と接触したまま維持される傾向にあるという事実により、皮膚過敏に関する問題を生じることが判明している。
【０００６】
さらに、単一の物品を構成している公知のデバイスで、乳児、幼児、或いは大人の尿及び糞便管理の要求の双方を独立して満足する方法は、当技術において全く知られていない。個々に、使い捨て糞便マネージメントデバイス及び使い捨て尿マネージメントデバイスの使用は知られている。例えば、使い捨て尿マネージメントデバイスは、ＥＰ０１４０４７０及びＵＳ４８０４３７７に記載されている。使い捨て糞便マネージメントデバイスは、ＵＳ３５７７９８９及びＵＳ４７８４６５６に記載されている。
【０００７】
しかしながら、上記技術は、使い捨て糞便マネージメントデバイスを使い捨て尿マネージメントデバイスと同時に使用することを全く示唆していない。
ＵＳ２９２９６２５及びＵＳ４２００１０２は、別々のレセプタクルの使用により尿及び糞便の双方に対処するように設計された再利用可能なデバイスを記載している。そのようなデバイスは着用しにくく、使い捨て可能ではなく、着用者の二股領域全体を覆う。
【０００８】
【課題を解決するための手段】
上記問題は使い捨て糞便マネージメントデバイス及び使い捨て尿マネージメントデバイスの同時の及び独立した使用により克服され得ることがここで明らかとされた。そのような使用方法は、それらデバイスが互いに独立して使用され得るので、より優れた可撓性を可能とする。
【０００９】
本発明は、個体から尿及び糞便排泄物を収集し且つ廃棄する方法である。本方法は、使い捨て尿マネージメントデバイス及び使い捨て糞便マネージメントデバイスの同時の及び独立した使用である。その使い捨て尿マネージメントデバイスは、個体の尿生殖器領域に剥離可能な方法で独立して適用され、一方、使い捨て糞便マネージメントデバイスは、個体の会陰領域に剥離可能な方法で独立して適用される。
【００１０】
本明細書は、本発明を指し示し且つ明確に請求する請求の範囲で締めくくられるが、それは、添付する明細書とともに扱われ同様の構成要素は同一の参照番号を付与された以下の図面によってより良好に理解されるものと思われる。
【００１１】
【発明の実施の形態】
用語「使い捨て」は、ここで使用されるように、一般に、洗濯、さもなくば復元、或いは再使用されることが意図されないデバイスを記述する（すなわち、それらは、１回の使用の後に処分され、好ましくは、リサイクル、堆肥化、或いは環境に適合した方法で投棄されることが意図される）。
【００１２】
さて、図１〜３を参照すると、使い捨て尿マネージメントデバイス（１０）が示されている。使い捨て尿マネージメントデバイス（１０）は、孔（１３）を有するバッグ（１１）及び着用者の身体への接着による取り付けのためにその孔を取り囲むフランジ（１２）を具備している。
【００１３】
バッグ（１１）は、ここで使用されるように、排出された尿を封じ込めるための可撓性のレセプタクルである。バッグ（１１）は、その意図される用途、すなわち、そのデバイスが寝たきり患者用であるか或いは失禁を患う活動的な患者用であるかに依存して、どのような形状或いは寸法でも提供され得る。例えば、主として管状或いは矩形の伸長されたバッグは、典型的には寝たきり患者及び老齢の失禁罹患者により利用される。乳幼児であろうと大人であろうと、より活動的な着用者については、尿マネージメントデバイスは、好ましくは、デバイスが身体の輪郭に従い且つ着用者により通常の衣服の下に目立たずに着用され得るように解剖学的に形作られるべきである。
【００１４】
特に、好ましい形状は、円錐型のバッグ、切頭型（ｔｒｕｎｃａｔｅｄ ｓｈａｐｅｄ）のバッグ、及び角錐型或いは切頭角錐型或いは切頭円錐型のバッグである。加えて、バッグ（１１）は、好ましくは、着用者の尿生殖器領域にフィットするように形作られ、フランジ（１２）と着用者の皮膚との間の良好な接触を確実にする。
【００１５】
バッグ（１１）は、好ましくは、様々な着用条件下で、また、自由に移動する、すなわち、寝たきりではない着用者により着用される場合に、尿のために十分な容積を提供するように設計される。
バッグ（１１）は、閉じ込められたどのような物質をも安全に収容するように設計され、それは典型的には液体不透過性であるが、通気性であってもよい。そのバッグは、使用中の破裂に耐えるのに十分な強度を有するように設計される。
【００１６】
本発明によると、要求されるバッグ（１１）の形状に依存して、バッグは、単一の材料片で或いは幾つかの独立した材料片−それらは同一であっても異なっていてもよく、それらのそれぞれの周辺部でシールされる−で作られてもよい。
本発明によると、バッグは、１つ或いは複数の層、好ましくは２つ或いは３つの層を具備し得る。典型的には少なくとも部分的に尿と接触するようになるであろうバッグの内側の層は内層と呼ばれる。典型的には少なくとも部分的に着用者の皮膚及び着用者の衣服と接触するようになるであろうバッグの最外層は外層と呼ばれる。
【００１７】
バッグ材料のそれら層は、バッグが液体不透過性であるので、どのような材料から提供されてもよい。それら層は、特に、不織布或いはフィルムのようなどのような材料を具備してもよい。本発明の好ましい態様においては、不織布層とフィルムとから積層体が形成されてもよい。その積層体は、当業者に公知の手段で形成され得る。
【００１８】
どのような不織布層も、フェルト生地、スパンレース（ｓｐｕｎｌａｃｅｄ）生地、流体噴射絡合（ｆｌｕｉｄ ｊｅｔ ｅｎｔａｎｇｌｅｄ）生地、エアレイド生地、ウェットレイド生地、ドライレイド生地、溶融吹込生地、ステープルファイバーカーディング生地、スパンボンド生地、ステッチボンド生地、アパーチャ生地、及びそれらの組合わせ等を具備し得る。
【００１９】
前記層のいずれにも適したフィルム材料は、好ましくは熱可塑性材料を具備する。その熱可塑性材料は、全てのタイプのホットメルト接着剤、ポリオレフィン、特にポリエチレン、ポリプロピレン、及びアモルファスポリオレフィン等；繊維を具備する溶融可能な成分を含有する材料或いはセルロース−木材パルプ、綿、ジュート、大麻のような天然繊維を含む高分子バインダ；グラスファイバ、レーヨン、ポリエステル、ポリオレフィン、アクリル、ポリアミド、アラミド、ポリテトラフルオロエチレン金属、ポリイミドのような合成繊維；二成分系高融点／低融点（ｂｉｃｏｍｐｏｎｅｎｔ ｈｉｇｈ ｍｅｌｔ／ｌｏｗ ｍｅｌｔ）ポリマー、コポリマーポリエステル、ポリビニルクロライド、ポリビニルアセテート／クロライドコポリマー、コポリマーポリアミド、構成材料の幾つかが溶融可能でない配合物を具備する材料のようなバインダ；米国のＥＸＸＯＮ　Ｃｈｅｍｉｃａｌ社からＥＸＸＡＩＲＥの名称で市販されている微孔性フィルム或いは日本のＭｉｔｓｕｉ　Ｔｏａｔｓｕ社からＥＳＰＯＩＲ　ＮＯの名称で市販されているものを含む空気及び蒸気透過性材料；ＤｕＰｏｎｔ社から市販されているＨｙｔｒｅｌ及びフランスのＥＬＦ　Ａｔｏｃｈｅｍ社から市販されているＰｅｂａｘのような及びモノリシック通気性材料の中から選ばれ得る。
【００２０】
好ましい態様において、どの層に含まれるフィルムも、好ましくは、着用者の身体から放たれる水蒸気の閉じ込め及び濃縮並びに短い使用期間後の暑く粘質で不快な状態の問題を避けるために、空気のようなガス及び水蒸気のような蒸気を透過し得る。
【００２１】
バッグの外層は、好ましくは不織布層を提供される。そのような材料の層は、着用者の皮膚に平坦でない表面を与え、したがって、閉塞の問題を顕著に減少させ、皮膚の健康さを大きく改良する。
本発明の１つの好ましい態様において、バッグは２つの層を具備する。好ましくは、外層は不織布層を具備し、内層はフィルムを具備する。
【００２２】
本発明のさらに他の好ましい態様において、バッグ（１１）は３つの層、好ましくは１つのフィルムと２つの不織布層とを具備する。より好ましい態様において、そのフィルムは２つの不織布層間に挿入される。この層のシーケンスは、閉鎖繊維構造に帰着し、それは、着用者の皮膚との接触の際に特に快い感覚を有する。
【００２３】
バッグ（１１）を構成する１つの不織布層或いは複数の不織布層は、疎水性でも親水性でもよい。例えば、バッグがフィルム層を具備する場合、さらなる複数の不織布層は親水性でも疎水性でもよい。バッグ（１１）がフィルム層を具備しない場合、好ましくは少なくとも１つの不織布層は疎水性である。さらに、複数の不織布層の双方を疎水性として、バッグが液体不透過性であることを確実なものとすることが望ましい。
【００２４】
典型的には、不織布層は、フルオロケミカルや他の疎水性仕上剤のような表面活性材料で処理され、必要な疎水性を提供する。しかしながら、不織布層は、ホットメルト接着剤のような液体不浸透材料のコーティング或いはシリコーンやゴム並びに植物及びミネラルワックスのような他の疎水性化合物のコーティングで同様に処理されてもよく、例えばナノ微粒子或いはプラズマコーティング技術を用いて物理的に処理されてもよい。
【００２５】
また、不織布層は、触覚可能な軟らかさを改良するための薬剤で処理され得る。その薬剤は、制限されないが、植物、動物、或いは合成油及びシリコーン油等を含む。これら薬剤の存在は、それを着用者の触覚にグリース状或いは油状とすることなく、不織布層に絹状の或いはフランネル状の触感を付与することが知られている。加えて、アニオン、非アニオン、カチオン、及び非カチオン界面活性剤を含む界面活性剤が、軟らかさ及び表面の滑らかさをさらに増加させるために加えられてもよい。
【００２６】
さらに、不織布層は、ローションを含浸されて、所望の治療用或いは保護用のコーティングローションの利益を提供してもよい。ローションコーティングは、通常の接触及び着用者の動き及び／または身体の熱により、着用者の皮膚へと移すことができる。一般的には、ローションの形態の鉱油が、着用者の皮膚に対して鎮静性の保護用コーティングを付与するのに効果的であると認識されている。また、不織布に固形の（ｓｏｌｉｄ）油相クリーム配合物を含浸させること、或いは不織布層に例えばベビーオイルを含む圧力、熱、または水破裂性カプセルの配列を組み込むことも可能である。
【００２７】
図１に示すように、バッグ（１１）は孔（１３）を提供され、それにより、尿はバッグキャビティ内に貯蔵される前に身体から受け取られる。孔（１３）は、フランジ（１２）に取り囲まれており、円形、長円形、ハート型のようにどのような形状及びサイズで提供されてもよく、対称的でも非対称的でもよく、好ましくは、孔は縦方向に或いは横断線方向に長円形構造を有し、最も好ましくは、孔の輪郭はそれぞれの主軸が実質的に垂直な２つの楕円の形状である。
【００２８】
フランジ（１２）は、当業者に公知の手段、好ましくは接着剤によってバッグ（１１）に取り付けられる。
フランジは、そのデバイスが意図される着用者のグループに依存して、どのようなサイズで提供されてもよい。同様に、フランジはどのような形状で提供されてもよく、好ましくは対称な僅かに長円形の、好適には複数のローブを具備する形状を有する。
フランジは、着用者対向面（２２）と反対側の衣服対向面（２１）とを具備する。好ましい態様において、これらは２つの広く実質的に平坦な表面である。
【００２９】
フランジ（１２）は、フランジの尿生殖器領域への容易な配置を可能とするために、軟らかく、可撓性で、展性の材料で作られるべきである。加えて、尿が孔（１３）を取り囲む外周（３０）に接触しない場合に、それが弾かれてフランジ（１２）の外側端部に吸い上げられないように、フランジ（１２）は疎水性材料で作られることが好ましい。また、フランジ（１２）を通気性の材料から構成して、着用者の身体から放たれる水蒸気の閉じ込め及び濃縮並びに短い使用期間後の暑く粘質で不快な状態の問題を避けることが望ましい。
【００３０】
フランジ（１２）に好適な材料は、制限されないが、不織布材料及び連続気泡熱可塑性フォームのようなフォームを含む。約０．５乃至１０ミリメートル（好ましくは約２ミリメートル）の一般的な範囲内の厚さを有する連続気泡フォームは、特に有効であることが見出されている。そのようなフォームの上述した特性（すなわち、軟らかさ、たわみ性、延伸性、収縮性、通気性、及び疎水性）を有する他のフォーム材料或いは他の適当な可塑性シート材料が使用されてもよい。
【００３１】
本発明によると、フランジ（１２）の着用者対向面（２２）は、身体適合性の接着剤（２０）を具備する。接着剤（２０）は、好ましくは、使用前の接着剤層を保護するために、シリコナイズされた紙のような剥離手段（図示せず）で覆われる。接着剤（２０）は、フランジ（１２）の着用者対向面の全体を覆うことができるか、或いは、少なくとも１つの、好ましくは２乃至６つの非接着部を有し得る。これら部分は、接着剤フリーであってもよく、不活性化された或いは被覆された接着剤を含んでもよい。図１から明らかなように、接着剤（２０）は１つの好ましい態様においてフランジ（１２）の着用者対向面領域の全体には塗布されず、フランジ（１２）のそれぞれのサイドに、非接着性であり、それにより接着剤との接触を避けつつデバイスの配置及び除去を促進するのに役立つローブ（１６）を提供する。しかしながら、これらローブも、好ましくは剥離紙により覆われる。尿マネージメントデバイスの着用者の皮膚への適用前に、剥離手段は、もしあるのであれば取り除かれる。
【００３２】
本発明によると、デバイスを着用者の尿生殖器領域に取り付けるのに、ハイドロコロイド接着剤及びハイドロゲル接着剤のように医学的に承認されたどのような耐水性の感圧接着剤が使用されてもよい。比較的苦痛を伴わない適用及び除去を可能としつつ、敏感な尿生殖器領域でフランジを着用者の皮膚に固定するために望まれる接着特性を提供することにおいて特に効果的な接着剤は、ポリマーを可塑剤で架橋して３次元マトリクスを形成することにより形成される親水性ハイドロゲルである。
【００３３】
接着剤（２０）は、スロットコーティング、スパイラル或いはビード塗布または印刷のような当技術分野で公知のどのような手段によっても、フランジ（１２）の着用者対向面（２２）に塗布され得る。典型的には、接着剤は、思い描かれる最終用途に依存して、２０ｇ／ｍ２乃至２５００ｇ／ｍ２の、より好ましくは５００ｇ／ｍ２乃至２０００ｇ／ｍ２の、最も好ましくは７００ｇ／ｍ２乃至１５００ｇ／ｍ２の基本重量で塗布される。例えば、子供に使用される尿マネージメントデバイスに関する接着剤の量は、活動できる大人の失禁罹患者のために設計された尿マネージメントデバイスに対してより少ないかもしれない。
【００３４】
吸収性材料（１５）は、バッグ（１１）の中に包含される。吸収性材料（１５）は、尿のような液体を吸収し且つ保持することができるどのような吸収性材料も含んでもよい。その吸収性材料は、一般にエアフェルトと呼ばれる粉砕された木材パルプのように使い捨ておむつや他の吸収性物品で一般に使用される非常に多様な液体吸収性材料を含んでもよい。他の適当な吸収性材料の例は、クレープされたセルロース詰綿；コフォーム（ｃｏｆｏｒｍ）を含む溶融吹込されたポリマー；化学的に硬化された、改質された、或いは架橋されたセルロースファイバ；薄葉状包装材料及び薄葉紙積層体を含む薄葉紙；吸収性フォーム；吸収性スポンジ；超吸収性ポリマー；吸収性ゲル化材料；或いは他の公知の吸収性材料またはそれら材料の組合わせを含む。
【００３５】
吸収性材料（１５）は、どのような適当な方法でバッグ（１１）中に置かれてもよい。例えば、吸収性材料（１５）はバッグ（１５）の中に脱着可能に配置されてもよく、バッグ（１１）の内層に固定されてもよい。吸収性材料（１５）をバッグの内層に固定するために、吸収性材料を不織布及びフィルム基材に固定するためのどのような公知の技術が用いられてもよい。また、吸収性材料は、どのような所望の形状或いは構造（例えば、長方形、楕円形、円形等）を有するように配置されてもよい。
【００３６】
図１〜３に示す態様において、バッグ（１１）の外側表面は、バッグ（１１）を着用者の身体に固定するための接着剤のパッチ（４０）を提供されている。好ましくは、接着剤のパッチ（４０）は、それらが使用時に着用者の腹部に肯定されるように、バッグ（１１）の外側表面上に位置する。そのデバイスの意図される用途に依存して、どのような数、サイズ、及び形状の接着剤パッチ（４０）が使用されてもよい。接着剤（４０）は、ハイドロコロイド接着剤及びハイドロゲル接着剤のように医学的に承認されたどのような耐水性の感圧接着剤であってもよい。比較的苦痛を伴わない適用及び除去を可能としつつ、フランジを着用者の皮膚に固定するために望まれる接着特性を提供することにおいて特に効果的な接着剤は、ポリマーを可塑剤で架橋して３次元マトリクスを形成することにより形成される親水性ハイドロゲルである。
【００３７】
さて、図４〜５を参照すると、他の態様の使い捨て尿マネージメントデバイス（１１０）が示されている。使い捨て尿マネージメントデバイス（１１０）は、孔（１１３）を有するバッグ（１１１）、着用者の身体への接着による取り付けのためにその孔を取り囲むフランジ（１１２）、及びバッグ（１１１）内に収容された吸収性材料（１１５）を具備している。
【００３８】
フランジ（１１２）は、孔（１１３）の真下に位置し且つほぼ孔（１１３）の幅にわたってフランジを横切って延びた突出しカーブした隆起（１５０）を含んでいる。隆起（１５０）は、乳児の会陰にまたがるように形作られている。
【００３９】
さて、図６を参照すると、他の態様の使い捨て尿マネージメントデバイス（２１０）が示されている。使い捨て尿マネージメントデバイス（２１０）は、孔（２１３）を有するバッグ（２１１）、着用者の身体への接着による取り付けのためにその孔を取り囲むフランジ（２１２）、及びバッグ（２１１）内に収容された吸収性材料（２１５）を具備している。
【００４０】
また、使い捨て尿マネージメントデバイス（２１０）は、付加的な捕捉層（２７０）を具備している。捕捉層（２７０）は、図６において、バッグ（２１１）の内側表面に固定されるように示されている。しかしながら、捕捉層（２７０）は、フランジ（２１２）に、或いはフランジ（２１２）及びバッグ（２１１）の内側表面の双方に固定されてもよい。捕捉層（２７０）は、好ましくは、それが着用者の生殖器を吸収性材料（２１５）と直接に接触するようになることから切り離すように配置される。捕捉層（２７０）は、尿が直ちに通過して吸収性材料（２１５）により吸収されるのを可能とする流体透過性である。
【００４１】
捕捉層（２７０）は、多孔質フォーム、網状フォーム、孔が設けられた可塑性フィルム；或いは天然繊維（例えば、木材或いは綿繊維）、合成繊維（例えば、ポリエステル或いはポリプロピレン繊維）、或いは天然繊維と合成繊維との組み合わせの織られたまたは不織のウェブのような広範囲の材料から製造されてもよい。捕捉バリア層が繊維を含む場合、その繊維は、スパンボンドカード、ウェットレイド、溶融吹込み、ハイドロエンタングル（ｈｙｄｏｒｏｅｎｔａｎｇｌｅ）、或いは当技術において公知の処理を施されてもよい。
【００４２】
捕捉層（２７０）は、吸収性材料（２１５）が通過して着用者の皮膚に接触し得ないような孔径を有するように設計される。吸収性材料（２１５）の通過を許容する大きさの孔径まで有さないように設計されるが、捕捉層（２７０）は、好ましくは、吸収性材料（２１５）の孔径よりも大きな孔径を有する。
【００４３】
好ましくは、捕捉層（２７０）は、吸収性材料（２１５）よりも親水性が低い。捕捉層（２７０）は、界面活性剤で処理されて、その初期の濡れ性を増加させてもよい。しかしながら、界面活性剤で処理する場合、捕捉層（２７０）は吸収性材料（２１５）に比べてより低く親水性であるべきである。捕捉層（２７０）を界面活性剤で処理する適当な方法は、捕捉層（２７０）を界面活性剤でスプレーすること及びその材料を界面活性剤中に浸漬させることを含む。代わりに、界面活性剤が捕捉層（２７０）中に組み込まれ（ｉｎｃｏｒｐｏｒａｔｅ）てもよい。
【００４４】
さて、図７〜９を参照すると、使い捨て糞便マネージメントデバイス（５１０）が示されている。使い捨て糞便マネージメントデバイス（５１０）は、孔（５１３）を有するバッグ（５１１）及び着用者の身体への接着による取り付けのためにその孔を取り囲むフランジ（５１２）を具備している。
【００４５】
バッグ（５１１）は、ここで使用されるように、糞便排出物を封じ込めるための可撓性のレセプタクルである。バッグ（５１１）は、その意図される用途、すなわち、そのデバイスが寝たきり患者用であるか或いは失禁を患う活動的な患者用であるかに依存して、どのような形状或いは寸法でも提供され得る。例えば、主として管状或いは矩形の伸長されたバッグは、典型的には寝たきり患者及び老齢の失禁罹患者により利用される。乳幼児であろうと大人であろうと、より活動的な着用者については、糞便マネージメントデバイスは、好ましくは、デバイスが身体の輪郭に従い且つ着用者により通常の衣服の下に目立たずに着用され得るように解剖学的に形作られるべきである。
【００４６】
特に、好ましい形状は、平坦な円形タイプのバッグ、矩形のバッグ、円錐型のバッグ、切頭型のバッグ、及び角錐型或いは切頭角錐型或いは切頭円錐型のバッグである。本発明の最も好ましい態様において、バッグ（５１１）は平坦な円形の形状を有する。バッグ（５１１）は、着用者対向部と衣服対向部とを有し、着用車体後部は着用者の臀部に隣接して配置される。
【００４７】
加えて、バッグ（５１１）は、好ましくは、着用者の臀部の中間へのバッグの少なくとも部分的な挿入及び停留を可能とするように、及びそれによりフランジと着用者の皮膚との間の良好な接触を確実にするように形作られる。
【００４８】
バッグ（５１１）は、好ましくは、様々な着用条件下で、また、自由に移動する、すなわち、寝たきりではない着用者により着用される場合に、糞便のために十分な容積を提供するように設計される。例えば、バッグの上への着座は、バッグの幾つかの部分に大きく減少された体積をもたらすであろう。それゆえ、バッグは、好ましくは、着座のような着用状況下において大きな圧力に供されない部分に十分な体積を提供するように形作られる。
【００４９】
バッグ（５１１）は、閉じ込められたどのような物質をも安全に収容するように設計され、それは典型的には液体不透過性であるが、通気性であってもよい。そのバッグは、使用中の破裂に耐えるのに十分な強度を有するように設計される。
【００５０】
本発明によると、要求されるバッグ（５１１）の形状に依存して、そのバッグは、単一の材料片で或いは幾つかの独立した材料片−それらは同一であっても異なっていてもよく、それらのそれぞれの周辺部でシールされる−で作られてもよい。
【００５１】
本発明によると、そのバッグは、１つ或いは複数の層、好ましくは２つ或いは３つの層を具備し得る。典型的には少なくとも部分的に糞便物質と接触するようになるであろうそのバッグの内側の層は内層と呼ばれる。典型的には少なくとも部分的に着用者の皮膚及び着用者の衣服と接触するようになるであろうそのバッグの最外層は外層と呼ばれる。
【００５２】
バッグ材料のそれら層は、そのバッグが液体不透過性であるので、どのような材料から提供されてもよい。それら層は、特に、不織布或いはフィルムのようなどのような材料を具備してもよい。本発明の好ましい態様においては、不織布層とフィルムとから積層体が形成されてもよい。その積層体は、当業者に公知の手段で形成され得る。
【００５３】
どのような不織布層も、フェルト生地、スパンレース生地、流体噴射絡合生地、エアレイド生地、ウェットレイド生地、ドライレイド生地、溶融吹込生地、ステープルファイバーカーディング生地、スパンボンド生地、ステッチボンド生地、アパーチャ生地、及びそれらの組合わせ等を具備し得る。
【００５４】
前記層のいずれにも適したフィルム材料は、好ましくは熱可塑性材料を具備する。その熱可塑性材料は、全てのタイプのホットメルト接着剤、ポリオレフィン、特にポリエチレン、ポリプロピレン、及びアモルファスポリオレフィン等；繊維を具備する溶融可能な成分を含有する材料或いはセルロース−木材パルプ、綿、ジュート、大麻のような天然繊維を含む高分子バインダ；グラスファイバ、レーヨン、ポリエステル、ポリオレフィン、アクリル、ポリアミド、アラミド、ポリテトラフルオロエチレン金属、ポリイミドのような合成繊維；二成分系高融点／低融点ポリマー、コポリマーポリエステル、ポリビニルクロライド、ポリビニルアセテート／クロライドコポリマー、コポリマーポリアミド、構成材料の幾つかが溶融可能でない配合物を具備する材料のようなバインダ；米国のＥＸＸＯＮ　Ｃｈｅｍｉｃａｌ社からＥＸＸＡＩＲＥの名称で市販されている微孔性フィルム或いは日本のＭｉｔｓｕｉ　Ｔｏａｔｓｕ社からＥＳＰＯＩＲ　ＮＯの名称で市販されているものを含む空気及び蒸気透過性材料；ＤｕＰｏｎｔ社から市販されているＨｙｔｒｅｌ及びフランスのＥＬＦ　Ａｔｏｃｈｅｍ社から市販されているＰｅｂａｘのような及びモノリシック通気性材料の中から選ばれ得る。
【００５５】
好ましい態様において、どの層に含まれるフィルムも、好ましくは、着用者の身体から放たれる水蒸気の閉じ込め及び濃縮並びに短い使用期間後の暑く粘質で不快な状態の問題を避けるために、空気のようなガス及び水蒸気のような蒸気を透過し得る。
【００５６】
バッグの外層は、好ましくは不織布層を提供される。そのような材料の層は、着用者の皮膚に平坦でない表面を与え、したがって、閉塞の問題を顕著に減少させ、皮膚の健康さを大きく改良する。
本発明の１つの好ましい態様において、そのバッグは２つの層を具備する。好ましくは、外層は不織布層を具備し、内層はフィルムを具備する。
【００５７】
本発明のさらに他の好ましい態様において、バッグ（５１１）は３つの層、好ましくは１つのフィルムと２つの不織布層とを具備する。より好ましい態様において、そのフィルムは２つの不織布層間に挿入される。この層のシーケンスは、閉鎖繊維構造に帰着し、それは、着用者の皮膚との接触の際に特に快い感覚を有する。
【００５８】
バッグ（５１１）を構成する１つの不織布層或いは複数の不織布層は、疎水性でも親水性でもよい。例えば、そのバッグがフィルム層を具備する場合、さらなる複数の不織布層は親水性でも疎水性でもよい。そのバッグがフィルム層を具備しない場合、好ましくは少なくとも１つの不織布層は疎水性である。さらに、双方の不織布層を疎水性とすることが望ましい。
【００５９】
典型的には、不織布層は、フルオロケミカルや他の疎水性仕上剤のような表面活性材料で処理され、必要な疎水性を提供する。しかしながら、不織布層は、ホットメルト接着剤のような液体不浸透材料のコーティング或いはシリコーンやゴム並びに植物及びミネラルワックスのような他の疎水性化合物のコーティングで同様に処理されてもよく、例えばナノ微粒子或いはプラズマコーティング技術を用いて物理的に処理されてもよい。
【００６０】
また、不織布層は、触覚可能な軟らかさを改良するための薬剤で処理され得る。その薬剤は、制限されないが、植物、動物、或いは合成油及びシリコーン油等を含む。これら薬剤の存在は、それを着用者の触覚にグリース状或いは油状とすることなく、不織布層に絹状の或いはフランネル状の触感を付与することが知られている。加えて、アニオン、非アニオン、カチオン、及び非カチオン界面活性剤を含む界面活性剤が、軟らかさ及び表面の滑らかさをさらに増加させるために加えられてもよい。
【００６１】
さらに、不織布層は、ローションを含浸されて、所望の治療用或いは保護用のコーティングローションの利益を提供してもよい。ローションコーティングは、通常の接触及び着用者の動き及び／または身体の熱により、着用者の皮膚へと移すことができる。一般的には、ローションの形態の鉱油が、着用者の皮膚に対して鎮静性の保護用コーティングを付与するのに効果的であると認識されている。また、不織布に固形の油相クリーム配合物を含浸させること、或いは不織布層に例えばベビーオイルを含む圧力、熱、または水破裂性カプセルの配列を組み込むことも可能である。
【００６２】
バッグ（５１１）は孔（５１３）を提供され、それにより、糞便はバッグキャビティ内に貯蔵される前に身体から受け取られる。孔（５１３）は、フランジ（５１２）に取り囲まれており、円形、長円形、ハート型のようにどのような形状及びサイズで提供されてもよく、対称的でも非対称的でもよく、好ましくは、孔は縦方向に或いは横断線方向に長円形構造を有し、最も好ましくは、孔の輪郭はそれぞれの主軸が実質的に垂直な２つの楕円の形状である。
【００６３】
フランジ（５１２）は、当業者に公知の手段、好ましくは接着剤によってバッグ（５１１）に取り付けられる。
そのフランジは、そのデバイスが意図される着用者のグループに依存して、どのようなサイズで提供されてもよい。同様に、フランジはどのような形状で提供されてもよく、好ましくは対称な僅かに長円形の、好適には複数のローブを具備する形状を有する。
【００６４】
そのフランジは、着用者対向面（５２２）と反対側の衣服対向面（５２１）とを具備する。好ましい態様において、これらは２つの広く実質的に平坦な表面であるが、フランジは、着用者の会陰或いは尾骨領域にフィットするように設計された突起を具備してもよい。例えば、フランジ（５１２）は、図４及び５に例証する突出しカーブした隆起（１５０）と同様の突出しカーブした隆起（５５０）を含んでもよい。
【００６５】
フランジ（５１２）は、フランジの尿生殖器領域への容易な配置を可能とするために、軟らかく、可撓性で、展性の材料で作られるべきである。加えて、フランジ（５１２）は疎水性であり通気性の材料で作られることが好ましい。
【００６６】
フランジ（５１２）に好適な材料は、制限されないが、不織布材料及び連続気泡熱可塑性フォームのようなフォームを含む。約０．５乃至１０ミリメートル（好ましくは約２ミリメートル）の一般的な範囲内の厚さを有する連続気泡フォームは、特に有効であることが見出されている。そのようなフォームの上述した特性（すなわち、軟らかさ、たわみ性、延伸性、収縮性、通気性、及び疎水性）を有する他のフォーム材料或いは他の適当な可塑性シート材料が使用されてもよい。
【００６７】
本発明によると、フランジ（５１２）の着用者対向面（５２２）は、身体適合性の接着剤（５２０）を具備する。接着剤（５２０）は、好ましくは、使用前の接着剤層を保護するために、シリコナイズされた紙のような剥離手段（図示せず）で覆われる。接着剤（５２０）は、フランジ（５１２）の着用者対向面の全体を覆うことができるか、或いは、少なくとも１つの、好ましくは２乃至６つの非接着部を有し得る。これら部分は、接着剤フリーであってもよく、不活性化された或いは被覆された接着剤を含んでもよい。図８から明らかなように、接着剤（５２０）は１つの好ましい態様においてフランジ（５１２）の着用者対向面領域の全体には塗布されず、フランジ（５１２）のそれぞれのサイドに、非接着性であり、それにより接着剤との接触を避けつつデバイスの配置及び除去を促進するのに役立つローブ（５１６）を提供する。しかしながら、これらローブも、好ましくは剥離紙により覆われる。糞便マネージメントデバイス（５１０）の着用者の皮膚への適用前に、剥離手段は、もしあるのであれば取り除かれる。
【００６８】
本発明によると、デバイスを着用者の尿生殖器領域に取り付けるのに、ハイドロコロイド接着剤及びハイドロゲル接着剤のように医学的に承認されたどのような耐水性の感圧接着剤が使用されてもよい。比較的苦痛を伴わない適用及び除去を可能としつつ、敏感な尿生殖器領域でフランジを着用者の皮膚に固定するために望まれる接着特性を提供することにおいて特に効果的な接着剤は、ポリマーを可塑剤で架橋して３次元マトリクスを形成することにより形成される親水性ハイドロゲルである。
【００６９】
接着剤（５２０）は、スロットコーティング、スパイラル或いはビード塗布または印刷のような当技術分野で公知のどのような手段によっても、フランジ（５１２）の着用者対向面（５２２）に塗布され得る。典型的には、接着剤は、思い描かれる最終用途に依存して、２０ｇ／ｍ２乃至２５００ｇ／ｍ２の、より好ましくは５００ｇ／ｍ２乃至２０００ｇ／ｍ２の、最も好ましくは７００ｇ／ｍ２乃至１５００ｇ／ｍ２の基本重量で塗布される。例えば、子供に使用される糞便マネージメントデバイスに関する接着剤の量は、大人のために設計された尿マネージメントデバイスに対してより少ないかもしれない。
【００７０】
着用者の尿生殖器領域と会陰領域との間のスペースは非常に小さいので、とりわけ乳児及び子供へは、使い捨て尿マネージメントデバイス及び使い捨て糞便マネージメントデバイスのそれぞれのフランジは互いに協調するように設計される必要がある。独立して設計される場合、それぞれのフランジは着用者の皮膚との良好なシールを成さず、尿或いは糞便物質の漏出へと導くかも知れない。そのような独立した設計の例は、それぞれのフランジが互いに重なり、それらフランジの一方が着用者の皮膚と完全なシールを成さない場合である。
【００７１】
使い捨て尿マネージメントデバイス及び使い捨て糞便マネージメントデバイスについてのほかの適当な設計は、それらデバイスの一方或いは双方が別々の機構の使用により所定の位置に維持されるものである。そのような別々の機構の例は、制限されるものではないが、使い捨て及び再使用の双方が可能なパンツ及び使い捨ておむつのような使い捨て吸収性物品を含む。使い捨て尿マネージメントデバイス及び使い捨て糞便マネージメントデバイスが別々の機構により所定の位置に維持される場合、それらは、上述したフランジのようにそれらを所定の位置に維持する付加的な機構を含んでもよく或いは含まなくてもよい。
【００７２】
本発明は、使い捨て尿マネージメントデバイス及び使い捨て糞便マネージメントデバイスについて上記設計を使用することを例証してきたが、本発明はそのような設計に制限されるものではない。したがって、他の適当な設計も本発明の範囲内である。それぞれのデバイスの特定の設計は、それぞれのデバイスが使い捨て可能であり、個体のそれぞれの領域−すなわち、尿生殖器領域及び会陰領域−に剥離可能な方法で独立して適用され得て、排出された滲出物を受け入れ且つ収容し得る限り、本発明を実行するのに臨界的ではない。
【００７３】
本発明の使用方法は、前述した使い捨て尿マネージメントデバイスの使い捨て糞便マネージメントデバイスとの同時の及び独立した使用である。使い捨て尿マネージメントデバイスは、尿の収集のために着用者の尿生殖器領域に固定され、使い捨て糞便マネージメントデバイスは、糞便の収集のために着用者の会陰領域に固定される。別々のデバイスでの尿及び糞便の独立した収集により、本発明の方法は、尿及び糞便の双方を収集するように設計された一体型の従来技術の一体型デバイスを上回る改良された効率を提供する。従来技術の一体型デバイスは、一旦、デバイスが糞便及び尿のいずれかで充満させられたならば交換される必要があるであろう。これは、一体型デバイスは、交換を促す一方の存在及び他方の不存在のせいで、その尿及び糞便の双方を保持する潜在能力全てに達することが許されていないので、しばしば非効率的である。
【００７４】
これとは逆に、本発明の方法は、それぞれのデバイスが独立して交換され、それぞれのデバイスがその最高限まで使用されるのを可能とする。例えば、尿マネージメントデバイスが尿で充満させられ且つ糞便マネージメントデバイスが空である場合、尿マネージメントデバイスのみが交換させられる必要がある。代わりに、糞便マネージメントデバイスが糞便で充満させられ且つ尿マネージメントデバイスが空である場合、糞便マネージメントデバイスのみが交換させられる必要がある。
【００７５】
好ましくは、尿マネージメントデバイス及び糞便マネージメントデバイスは、一緒に梱包され、個体から尿及び糞便排出物を収集及び廃棄するためのキットを形成する。同数の尿マネージメントデバイスと糞便マネージメントデバイスとが同一のキット中に梱包されてもよい。代わりに、異なる数の尿マネージメントデバイスと糞便マネージメントデバイスとが同一のキット中に梱包されてもよい。好ましくは、そのキットは、糞便マネージメントデバイスよりも多く尿マネージメントデバイスを含む。
【００７６】
本発明の特定の態様が例証され且つ記載されたが、本発明の真意及び範囲から逸脱することなく様々な変形及び修飾がなされ得ることは当業者には明白であろう。それゆえ、本発明の範囲内にあるそのような変形及び修飾の全てを請求の範囲に含むことが意図される。
【図面の簡単な説明】
【図１】
本発明の使い捨て尿マネージメントデバイスの平面図。
【図２】
図１の使い捨て尿マネージメントデバイスの側面図。
【図３】
図１の３−３線に沿った断面図。
【図４】
本発明の使い捨て尿マネージメントデバイスの他の態様の平面図。
【図５】
図４の５−５線に沿った断面図。
【図６】
本発明の使い捨て尿マネージメントデバイスの他の態様の断面図。
【図７】
本発明の使い捨て糞便マネージメントデバイスの平面図。
【図８】
図７の使い捨て糞便マネージメントデバイスの側面図。
【図９】
図７の９−９線に沿った断面図。
【符号の説明】
１０，１１０，２１０…使い捨て尿マネージメントデバイス
１１，１１１，２１１，５１１…バッグ
１２，１１２，２１２，５１２…フランジ
１３，１１３，２１３，５１３…孔
１５，１１５，２１５…吸収性材料
１６，５１６…ローブ
２０，５２０…接着剤
２１，５２１…衣服対向面
２２，５２２…着用者対向面
３０…外周
４０…接着剤パッチ
１５０，５５０…隆起
２７０…捕捉層
５１０…使い捨て糞便マネージメントデバイス
【図１】
2004500132.tif 000003
【図２】
2004500132.tif 000004
【図３】
2004500132.tif 000005
【図４】
2004500132.tif 000006
【図５】
2004500132.tif 000007
【図６】
2004500132.tif 000008
【図７】
2004500132.tif 000009
【図８】
2004500132.tif 000010
【図９】
2004500132.tif 000011
【国際公開パンフレット】
2004500132.tif 000012
2004500132.tif 000013
2004500132.tif 000014
2004500132.tif 000015
2004500132.tif 000016
2004500132.tif 000017
2004500132.tif 000018
2004500132.tif 000019
2004500132.tif 000020
2004500132.tif 000021
2004500132.tif 000022
2004500132.tif 000023
2004500132.tif 000024
2004500132.tif 000025
2004500132.tif 000026
2004500132.tif 000027
2004500132.tif 000028
2004500132.tif 000029
2004500132.tif 000030
2004500132.tif 000031
2004500132.tif 000032
2004500132.tif 000033
2004500132.tif 000034
2004500132.tif 000035
2004500132.tif 000036
2004500132.tif 000037
2004500132.tif 000038
2004500132.tif 000039
2004500132.tif 000040
【国際調査報告】
2004500132.tif 000041
2004500132.tif 000042
2004500132.tif 000043